(57)【特許請求の範囲】
【請求項１】
電磁誘導蓄電池（１４ａ，１４ｂ，１４ｇ）と連結された状態においてエネルギを伝送すべく設けられている電磁誘導充電ユニット（１２ａ，１２ｂ，１２ｇ）を備える電磁誘導充電装置であって、
前記電磁誘導充電ユニット（１２ａ，１２ｂ，１２ｇ）を少なくとも１つの状態で少なくとも１つの前記電磁誘導蓄電池（１４ａ，１４ｂ，１４ｇ）及び／又は少なくとも１つの外部のユニット（１８ａ）に連結すべく少なくとも部分的に設けられている固定ユニット（１６ａ，１６ｂ，１６ｇ）を備え、
前記固定ユニット（１６ａ，１６ｂ，１６ｇ）は、少なくとも部分的に前記電磁誘導充電ユニット（１２ａ，１２ｂ，１２ｇ）とは別個に形成されており、
前記固定ユニット（１６ｂ）は、前記電磁誘導充電ユニット（１２ｂ）を少なくとも１つの組み立てられた状態で少なくとも部分的に包囲する少なくとも１つの固定フレーム（２０ｂ）を有し、
少なくとも１つの前記固定フレーム（２０ｂ）は、前記電磁誘導充電ユニット（１２ｂ）を収容する収容領域（２４ｂ）と、前記電磁誘導蓄電池（１４ｂ）を収容する収容領域（２６ｂ）とを形成することを特徴とする、電磁誘導充電装置。
【請求項２】
少なくとも１つの前記固定フレーム（２０ｂ）は、少なくとも部分的に互いに結合される少なくとも２つのフレーム要素（２２．１ｂ，２２．２ｂ）を有する、請求項１記載の電磁誘導充電装置。
【請求項３】
少なくとも部分的に前記固定フレーム（２０ｂ）に対応するように形成されている少なくとも１つの保持要素（５６ｂ）を備える、請求項１記載の電磁誘導充電装置。
【請求項４】
電磁誘導蓄電池（１４ａ，１４ｂ，１４ｇ）と連結された状態においてエネルギを伝送すべく設けられている電磁誘導充電ユニット（１２ａ，１２ｂ，１２ｇ）を備える電磁誘導充電装置であって、
前記電磁誘導充電ユニット（１２ａ，１２ｂ，１２ｇ）を少なくとも１つの状態で少なくとも１つの前記電磁誘導蓄電池（１４ａ，１４ｂ，１４ｇ）及び／又は少なくとも１つの外部のユニット（１８ａ）に連結すべく少なくとも部分的に設けられている固定ユニット（１６ａ，１６ｂ，１６ｇ）を備え、
前記固定ユニット（１６ａ，１６ｂ）は、前記電磁誘導充電ユニット（１２ａ，１２ｂ）のハウジング（３０ａ，３０ｂ）に固定して配置されている少なくとも１つの固定要素（２８．１ａ，２８．２ａ，２８．１ｂ）を有し、
少なくとも１つの前記固定要素（２８．２ａ）は、保持舌片（３４ａ）として形成されていることを特徴とする、電磁誘導充電装置。
【請求項５】
少なくとも１つの前記固定要素（２８．１ａ，２８．１ｂ）は、少なくとも部分的に溝（３２ａ，３２ｂ）として形成されている、請求項４記載の電磁誘導充電装置。
【請求項６】
前記保持舌片（３４ａ）として形成される少なくとも１つの前記固定要素（２８．２ａ）は、解離可能に前記電磁誘導充電ユニット（１２ａ）のハウジング（３０ａ）に結合されている、請求項４又は５記載の電磁誘導充電装置。
【請求項７】
前記保持舌片（３４ａ）として形成される少なくとも１つの前記固定要素（２８．２ａ）は、前記電磁誘導充電ユニット（１２ａ）のハウジング（３０ａ）に対して相対的に少なくとも部分的にばね弾性的に支持されている、請求項４又は５記載の電磁誘導充電装置。
【請求項８】
電磁誘導蓄電池（１４ａ，１４ｂ，１４ｇ）と連結された状態においてエネルギを伝送すべく設けられている電磁誘導充電ユニット（１２ａ，１２ｂ，１２ｇ）を備える電磁誘導充電装置であって、
前記電磁誘導充電ユニット（１２ａ，１２ｂ，１２ｇ）を少なくとも１つの状態で少なくとも１つの前記電磁誘導蓄電池（１４ａ，１４ｂ，１４ｇ）及び／又は少なくとも１つの外部のユニット（１８ａ）に連結すべく少なくとも部分的に設けられている固定ユニット（１６ａ，１６ｂ，１６ｇ）を備え、
前記固定ユニット（１６ａ，１６ｂ，１６ｇ）は、少なくとも部分的に前記電磁誘導充電ユニット（１２ａ，１２ｂ，１２ｇ）とは別個に形成されており、
前記固定ユニット（１６ｇ）は、システムホルダ（９２ｇ）を有し、前記システムホルダ（９２ｇ）は、収容領域（２６ｇ）を画定しており、前記収容領域（２６ｇ）は、電磁誘導充電ユニット（１２ｇ）と、前記電磁誘導蓄電池（１４ｇ）の充電インターフェース（９６ｇ）とを収容すべく設けられていることを特徴とする、電磁誘導充電装置。
【請求項９】
前記システムホルダ（９２ｇ）は、Ｕ字部材（１００ｇ）として形成された固定手段を有し、前記固定手段は、２つの支持箇所（１０４ｇ）において固定ユニット（１６ｇ）に揺動軸線（１０２ｇ）周りに可動に支持されている、請求項８記載の電磁誘導充電装置。
【請求項１０】
前記電磁誘導蓄電池（１４ａ，１４ｂ，１４ｇ）は、手持ち工具用電磁誘導蓄電池である、請求項１から９までのいずれか１項記載の電磁誘導充電装置。
【請求項１１】
請求項１から１０までのいずれか１項記載の電磁誘導充電装置（１０ａ，１０ｂ）と、少なくとも１つの電磁誘導蓄電池（１４ａ，１４ｂ，１４ｇ）とを備えるシステム。
【請求項１２】
請求項１から１０までのいずれか１項記載の電磁誘導充電装置（１０ａ，１０ｂ）の固定ユニット。
【請求項１３】
請求項１から１０までのいずれか１項記載の電磁誘導充電装置（１０ａ，１０ｂ）の電磁誘導充電ユニット。
【請求項１４】
前記電磁誘導充電ユニットは、手持ち工具用電磁誘導充電ユニットである、請求項１３記載の電磁誘導充電ユニット。
【発明の詳細な説明】
【技術分野】
【０００１】
電磁誘導充電装置に関する。
【０００２】
従来技術
請求項１の上位概念部に記載の電磁誘導充電装置は、既に提案されている。
【０００３】
発明の概要
本発明は、電磁誘導蓄電池と連結された状態においてエネルギを伝送すべく設けられている電磁誘導充電ユニットを備える電磁誘導充電装置、特に手持ち工具用電磁誘導充電装置を前提とする。
【０００４】
電磁誘導充電装置が、電磁誘導充電ユニットを少なくとも１つの状態で少なくとも１つの電磁誘導蓄電池及び／又は少なくとも１つの外部のユニットに連結すべく少なくとも部分的に設けられている固定ユニットを備えることを提案する。
【０００５】
「電磁誘導充電ユニット」とは、この関連で特に、少なくとも１つの電磁誘導蓄電池に充電するユニットであって、少なくとも１つの充電状態で充電流を少なくとも部分的に電磁誘導により電磁誘導蓄電池に伝送すべく設けられており、少なくとも１つの電磁誘導充電コイルを有するユニットと解すべきである。「電磁誘導充電コイル」とは、この関連で特に、導電性の材料からなる少なくとも１つの巻線を有するコイルであって、少なくとも１つの充電状態で、印加される電気エネルギ、特に交流電圧により、電磁誘導蓄電池の電磁誘導コイル内に交流電流を発生させる磁界を形成すべく設けられているコイルと解すべきである。特に電磁誘導充電コイルは、交番電磁界を交流電流に変換かつ／又は反対に交流電流を交番電磁界に変換すべく設けられている。好ましくは、交番電磁界は、１０〜５００ｋＨｚ、特に好ましくは１００〜１２０ｋＨｚの周波数を有している。特にコイル平面に対して垂直な方向は、電磁誘導充電コイルの巻線軸線に対して平行に形成されている。加えて、好ましくは、電磁誘導充電ユニットは、少なくとも１つの電磁誘導充電コイルのインダクタンスを高める少なくとも１つのコイルコアユニットを有している。
【０００６】
「設けられている」とは、特に、特別に構成、設計及び／又は装備されていると解すべきである。ある対象物がある特定機能のために設けられているとは、特に、対象物がこの特定機能を少なくとも１つの使用状態及び／又は運転状態で充足かつ／又は実施することと解すべきである。
【０００７】
「電磁誘導蓄電池」とは、この関連で特に、好ましくは再充電可能なエネルギアキュムレータユニットを有する装置であって、エネルギアキュムレータユニットは、可逆反応により電気化学的に電流を発生させるエネルギを蓄え、充電流の導入により充電すべく少なくとも部分的に設けられており、かつ電動機械、特に手持ち工具機械に電流を供給すべく設けられている装置と解すべきである。好ましくは、電磁誘導蓄電池は、電動機械、特に手持ち工具機械の収容室内に収容されているか、又は解離可能に取り付けられている。電磁誘導蓄電池は、少なくとも１つのＮｉＣｄ蓄電池又はＮｉＭｈ蓄電池を有していてもよい。好ましくは、電磁誘導蓄電池は、リチウムをベースとする少なくとも１つの蓄電池を有している。「手持ち工具機械」とは、この関連で特に、使用者により手持ちで操作される電動機器、特に穴あけ機、ハンマドリル、ソー、かんな、ドライバ、フライス、グラインダ、ディスクグラインダ及び／若しくは多機能工具、又はガーデン用機器、例えばヘッジトリマ、園芸バリカン及び／若しくは芝生バリカン、又は当業者が有意義と考えるその他の形態の電動機器と解すべきである。
【０００８】
「外部のユニット」とは、この関連で特に、好ましくは完全に電磁誘導充電ユニットとは別個に形成されており、電磁誘導充電ユニットの運転のためには不要なユニットと解すべきである。外部のユニットは、好ましくは少なくとも部分的にワークベンチ、工具箱、工具箱ホルダ、工具ホルスタ及び／又は当業者が有意義と考えるその他の外部のユニットにより形成されていてもよい。「連結」とは、この関連で特に、好ましくは解離可能な結合の形成と解すべきであり、２つの構成部材間の保持力は、好ましくは構成部材同士の幾何学的な係合及び／又は構成部材間の摩擦力により伝達される。
【０００９】
電磁誘導充電装置の本発明による構成により、構造的に簡単に、好ましくは高い柔軟性と好ましい操作快適性とが達成可能である。
【００１０】
さらに、固定ユニットが、少なくとも部分的に電磁誘導充電ユニットとは別個に形成されていることを提案する。「少なくとも部分的に別個に」とは、この関連で特に、固定ユニットと電磁誘導充電ユニットとが、運転にとって本質的な共通の構成部材を有しないことと解すべきである。これにより、固定装置の好ましくはフレキシブルな使用可能性、特に様々な電磁誘導充電ユニットを伴う好ましくはフレキシブルな使用可能性が達成可能である。
【００１１】
加えて、固定ユニットが、電磁誘導充電ユニットを少なくとも１つの組み立てられた状態で少なくとも部分的に包囲する少なくとも１つの固定フレームを有することを提案する。「少なくとも部分的に包囲」とは、この関連で特に、固定フレームが、少なくとも１つの平面、好ましくは少なくとも２つの、特に互いに垂直に位置する平面、特に好ましくは３つの、特に互いに垂直に位置する平面内において、１８０°超、好ましくは２７０°超、特に好ましくは３６０°の角度範囲にわたって電磁誘導充電ユニットを取り巻くことと解すべきである。好ましくは、固定フレームは、特に電磁誘導充電ユニットの表面の精々７０％、好ましくは精々６０％、好ましくは精々５０％、特に好ましくは精々４０％を覆っている。これにより固定ユニットの重量及びスペースを有利に削減した構成が達成可能である。
【００１２】
さらに、少なくとも１つの固定フレームが、少なくとも部分的に互いに結合される少なくとも２つのフレーム要素を有することを提案する。少なくとも２つのフレーム要素は、好ましくは形状結合（ｆｏｒｍｓｃｈｌｕｅｓｓｉｇ：形状による束縛）及び／又は力結合（ｋｒａｆｔｓｃｈｌｕｅｓｓｉｇ：摩擦力等の力による束縛）を介して互いに結合されている。特に好ましい態様では、少なくとも２つのフレーム要素が互いに螺止されている。しかし、少なくとも２つのフレーム要素が互いに係止されているか、又は当業者が有意義と考えるその他の方法で結合されていてもよい。択一的又は付加的に、少なくとも２つのフレーム要素を素材結合（ｓｔｏｆｆｓｃｈｌｕｅｓｓｉｇ：溶接、接着等の化学結合による束縛）を介して互いに結合することも可能である。これにより、固定フレームの構造的に簡単な構成と、好ましくは低い生産手間あるいは生産コストとが達成可能である。
【００１３】
さらに、少なくとも１つの固定フレームが、電磁誘導充電ユニットを収容する収容領域と、電磁誘導蓄電池を収容する収容領域とを形成することを提案する。好ましくは、固定フレームは、電磁誘導蓄電池と電磁誘導充電ユニットとを連結された状態において少なくとも部分的に包囲する。「少なくとも部分的に包囲」とは、この関連で特に、固定フレームが少なくとも１つの平面、好ましくは少なくとも２つの、特に互いに垂直に位置する平面、特に好ましくは３つの、特に互いに垂直に位置する平面内で１８０°超、好ましくは２７０°超、特に好ましくは３６０°の角度範囲にわたって電磁誘導蓄電池及び電磁誘導充電ユニットを取り巻くことと解すべきである。好ましくは、固定フレームは、特に、電磁誘導充電ユニットの表面の精々７０％、好ましくは精々６０％、好ましくは精々５０％、特に好ましくは精々４０％を覆っている。これにより、電磁誘導充電装置の好ましくはコンパクトな構成が達成可能である。
【００１４】
加えて、固定ユニットが、電磁誘導充電ユニットのハウジングに固定して配置されている少なくとも１つの固定要素を有することを提案する。「固定して配置」とは、この関連で特に、少なくとも１つの固定要素が少なくとも充電状態で少なくとも部分的に紛失不能に電磁誘導充電ユニットのハウジングと連結されていることと解すべきである。これにより、好ましくは高い操作快適性が達成可能である。
【００１５】
さらに、少なくとも１つの固定要素が、少なくとも部分的に溝として形成されていることを提案する。これにより、構造的に簡単な、好ましくは頑強な、かつ好ましくは安価な固定ユニットの構成が達成可能である。
【００１６】
さらに、電磁誘導充電装置が、少なくとも部分的に固定フレームに対応するように形成されている少なくとも１つの保持要素を備えることを提案する。これにより、電磁誘導充電装置の好ましくはコンパクトな構成が達成可能である。
【００１７】
加えて、少なくとも１つの固定要素が、保持舌片として形成されていることを提案する。「保持舌片」とは、この関連で特に、少なくとも部分的に平面状の形態を有し、厚さが特に保持舌片の主延在方向での最小の延在長さの最大５０％、好ましくは最大３０％、特に好ましくは最大１０％であり、少なくとも部分的に少なくとも電磁誘導蓄電池を少なくとも連結された状態において形状結合を介して固定すべく設けられている要素と解すべきである。これにより、電磁誘導蓄電池の好ましくは簡単な、好ましくは信頼性の高い固定が達成可能である。
【００１８】
さらに、保持舌片として形成される少なくとも１つの固定要素が、解離可能に電磁誘導充電ユニットのハウジングに結合されていることを提案する。「解離可能に結合」とは、この関連で特に「破壊せずに分離可能」と解すべきである。これにより、保持舌片として形成された少なくとも１つの固定要素を伴っていても、保持舌片として形成された少なくとも１つの固定要素を伴っていなくても、電磁誘導充電ユニットの好ましくは高いフレキシビリティと使用可能性とが達成可能である。
【００１９】
さらに、保持舌片として形成される少なくとも１つの固定要素が、電磁誘導充電ユニットのハウジングに対して相対的に少なくとも部分的にばね弾性的に支持されていることが提案される。「ばね弾性的に支持」とは、この関連で特に、保持舌片として形成される少なくとも１つの固定要素が電磁誘導充電ユニットのハウジングに対して相対的に、特に機械的な損傷及び／又は破壊なしに繰り返し変形可能であり、特に変形後に自動的に再び基本位置に強制されることと解すべきである。これにより、好ましくは高い操作快適性が達成可能である。さらに、保持舌片として形成される少なくとも１つの固定要素の、電磁誘導充電ユニットが落下して衝突した際の損傷は、回避可能である。
【００２０】
加えて、本発明に係る電磁誘導充電装置と、少なくとも１つの電磁誘導蓄電池、特に少なくとも１つの手持ち工具用電磁誘導蓄電池とを備えるシステムを提案する。
【００２１】
さらに、本発明に係る電磁誘導充電装置の電磁誘導充電ユニット、特に手持ち工具用電磁誘導充電ユニットを提案する。
【００２２】
さらに、本発明に係る電磁誘導充電装置の固定ユニットを提案する。
【００２３】
別の態様において、本発明は、システム、好ましくは充電システム、特に電磁誘導式の充電システムであって、固定ユニットと電磁誘導充電ユニットとを備えるシステムを前提としてもよい。固定ユニットはシステムホルダを有する。システムホルダにおいて、システムホルダが、電磁誘導充電ユニットと、充電すべき機器、特に電磁誘導蓄電池の充電インターフェースとを収容すべく設けられている収容領域を画定することを提案する。「充電システム」とは、この関連で特に、電気エネルギを電磁誘導充電ユニットから、特に少なくとも部分的に電磁誘導蓄電池として形成された機器であって、特にこの機器に組み込まれた蓄電池ユニットを充電するように設けられている機器へと伝送すべく設けられているとともに、機器を少なくとも充電プロセス中に支持すべく設けられている装置と解すべきである。特に好ましい態様において、蓄電池ユニットは、電磁誘導蓄電池を有している。「蓄電池ユニット」とは、この関連で特に、電気的なエネルギアキュムレータと解すべきである。蓄電池ユニットは、少なくとも１つのＮｉＣｄ蓄電池又はＮｉＭｈ蓄電池を有していてもよい。好ましくは、蓄電池ユニットは、リチウムをベースとする少なくとも１つの蓄電池を有している。
【００２４】
「電磁誘導式の充電システム」とは、この関連で特に、電磁誘導充電ユニットから機器、特に電磁誘導蓄電池へのエネルギ伝送が電磁誘導式に実施される充電システムと解すべきである。特に電磁誘導充電ユニットは、電磁界を送信すべく設けられている少なくとも１つのコイルを有していてよく、機器、特に電磁誘導蓄電池は、電磁界を受信し、交流電流に変換すべく設けられている少なくとも１つのコイルを有していてよい。好ましくは、機器、特に電磁誘導蓄電池は、充電電子回路を有している。充電電子回路は、交流電流を整流し、電流強度及び／又は電圧を蓄電池ユニットの充電プロセスのために蓄電池ユニットの充電状態に応じて制御すべく設けられている。
【００２５】
「充電インターフェース」とは、この関連で特に、機器、特に電磁誘導蓄電池の領域であって、機器にエネルギを伝送し、機器、特に電磁誘導蓄電池を支持すべく設けられている領域と解すべきである。好ましくは、充電インターフェースは、システムに合わせて調整された確定された幾何学形状を有している。特に好ましくは、充電インターフェースは対称に構成されている。「機器」とは、この関連で好ましくは、機器蓄電池及び／又は蓄電池パック、特に手持ち工具機械用蓄電池及び／又は組み込まれた蓄電池ユニットを有する手持ち工具機械及び特に好ましくは電磁誘導蓄電池と解すべきである。好ましくは、電磁誘導蓄電池は、電磁誘導蓄電池を手持ち工具機械に接続する、使用者により解除可能なインターフェースを有している。「手持ち工具機械」とは、この関連で特に、使用者により手持ちで操作される電動機器、特に穴あけ機、ハンマドリル、ソー、かんな、ドライバ、フライス、グラインダ、ディスクグラインダ及び／若しくは多機能工具、又はガーデン用機器、例えばヘッジトリマ、園芸バリカン及び／若しくは芝生バリカン、並びに／又は照明装置、特にハンドランプ、並びに／又は測定機器、特にレーザ式距離測定器と解すべきである。
【００２６】
システムホルダは、好ましくは一体に構成されており、プラスチック材料から形成されている。「設けられている」とは、特に、特別に設計及び／又は装備されていると解すべきである。システムホルダは、電磁誘導充電ユニットと、充電すべき機器、特に電磁誘導蓄電池とを好ましくは収容し、電磁誘導充電ユニットと機器、特に電磁誘導蓄電池との間の、充電プロセスにとって好適な位置を保証可能である。特にシステムは、システムに合わせて調整された充電インターフェースを有する多数の様々な機器、例えば電磁誘導蓄電池、手持ち工具機械用蓄電池及び組み込まれた蓄電池ユニットを備える手持ち工具機械を充電するのに好適であってもよい。好ましくは、システムは、手持ち工具機械に装入された手持ち工具機械用蓄電池、特に電磁誘導蓄電池を充電し、かつ手持ち工具機械用蓄電池を手持ち工具機械とともに位置決めするのに好適であってもよい。充電プロセス中に手持ち工具機械から手持ち工具機械用蓄電池を取り外すことは、省略してもよい。好ましくは、システムは、複数の様々な電磁誘導充電ユニットを有していてもよい。システムにより充電可能な様々な機器、特に電磁誘導蓄電池の数は、さらに拡大可能である。システムは、様々な形態、大きさ、電圧階級、蓄電池パックサイズ及び質量の機器を充電するのに利用可能である。
【００２７】
さらに、システムホルダが、システムを運転準備状態で少なくとも１つの揺動軸線周りに可動に懸吊状態に支持すべく設けられている固定手段を有することを提案してもよい。「運転準備状態」とは、この関連で特に、システムが機器、特に電磁誘導蓄電池を充電するのに好適である状態と解すべきである。特に運転準備状態において、電磁誘導充電ユニットと、機器、特に電磁誘導蓄電池の充電インターフェースとは、システムホルダの収容領域内に配置され、電磁誘導充電ユニットと電磁誘導蓄電池とは、システムホルダにより互いに位置決めされている。
【００２８】
「懸吊状態」での支持とは、この関連で特に、システムに作用する重さ（力）が、固定手段に作用する力、特に引っ張り力により釣り合いのとれる支持と解すべきである。好ましくは、固定手段は、フック、アイレット、ループ又は特にＵ字部材（Ｂｕｅｇｅｌ）として形成されていてもよい。固定手段には、システムが例えばつめ、アイレット又はこれに類する装置により懸吊可能である。「揺動軸線周りに可動」とは、この関連で特に、この軸線周りに懸吊状態でごく僅かなモーメントが伝達されることと解すべきである。「僅かな」モーメントとは、この関連で特に、揺動軸線周りのシステムの揺動を許容するモーメントであって、その結果、懸吊状態での支持がこの軸線周りにモーメントフリーである位置へと、懸吊状態にあるシステムがこの軸線周りに移動可能であるモーメントと解すべきである。懸吊状態での支持に必要な力、特にモーメントは、特に僅かであってよい。
【００２９】
システムを支持する固定手段は、特に僅かな力及びモーメントに曝されていてよい。支持は、特に頑強及び確実であることができる。システムは、特に大型のかつ／又は重量のある機器の充電インターフェース及び電磁誘導充電ユニットを収容可能である。様々なハウジング形態及び／又は質量及び／又は重心の特に大きな帯域幅を有する機器、特に電磁誘導蓄電池が、このシステムにより充電可能である。システムは、自動的に、充電すべき機器、特に電磁誘導蓄電池の重心に応じて、揺動軸線周りに方向付け可能である。システムは、機器、特に電磁誘導蓄電池を保管及び／又は支持するのに特に良好に好適であることができる。特に好ましくは、固定手段は、システムホルダに揺動軸線周りに回動可能に支持されていてよい。懸吊状態で支持されたシステムは、充電すべき機器、特に充電すべき電磁誘導蓄電池とともに、特に良好に固定手段に対して、システムを固定手段にモーメントフリーに懸吊状態で支持することが可能な位置へと回動可能である。
【００３０】
固定手段が、少なくとも実質的に、システムホルダの、収容領域から背離した側に配置されていることを提案してもよい。「少なくとも実質的に」とは、この関連で大部分と解すべきである。特に固定手段の、システムを懸吊すべく設けられている領域は、少なくともシステムが懸吊された状態において、システムホルダの、収容領域から背離した側に配置されていてよい。好ましくは、充電すべき機器、特に充電すべき電磁誘導蓄電池のハウジング幾何学形状が固定手段とオーバラップしてしまうことは、回避可能である。充電すべき様々な機器、特に電磁誘導蓄電池がシステムの固定手段により懸吊され得ることは、保証可能である。
【００３１】
さらに、収容領域が、電磁誘導充電ユニットと、充電すべき機器、特に充電すべき電磁誘導蓄電池の充電インターフェースとを支持する支持手段を有することを提案してもよい。好ましくは、支持手段は、電磁誘導充電ユニット及び／又は充電インターフェースを形状結合式に支持すべく設けられている。システムホルダは、充電インターフェースに対する電磁誘導充電ユニットの位置を特に効果的に保証可能である。
【００３２】
さらに、支持手段が、電磁誘導充電ユニットと充電インターフェースとをエアギャップの分だけ離間させて支持すべく設けられていることを提案してもよい。「エアギャップ」とは、この関連で特に、電磁誘導充電ユニット及び充電インターフェースの互いに対向する面間の垂直間隔と解すべきである。好ましくは、エアギャップは、１ｍｍ〜５ｍｍ、特に好ましくは２．５ｍｍ〜３．５ｍｍである。エアギャップは、充電インターフェースを有する機器、特に電磁誘導蓄電池の特に簡単なかつ／又は人間工学的な装入及び／又は取り外しを保証可能である。特に支持手段は、充電インターフェースを有する機器、特に電磁誘導蓄電池がシステムホルダに対して遊びを有し、その結果、機器、特に電磁誘導蓄電池を装入する際の精度を下げることが可能であるように構成されていてもよい。機器、特に電磁誘導蓄電池を装入する際に充電インターフェースが電磁誘導充電ユニットと衝突してしまうことは、回避可能である。
【００３３】
さらに、電磁誘導充電ユニット及び充電インターフェースを１つの共通の挿入方向で収容する収容領域が設けられていることを提案してもよい。好ましくは、電磁誘導充電ユニット及び／又は充電インターフェースを支持する収容領域は、突出部、特にレールを有していてもよい。電磁誘導充電ユニット及び／又は充電インターフェースは、突出部、特にレール上に押し込み可能である。電磁誘導充電ユニット及び／又は充電インターフェースは、収容領域の突出部及び／又はレールに支持されるように設けられている条溝、溝及び／又は肩部を有していてもよい。システムホルダによる充電インターフェース及び／又は電磁誘導充電ユニットの特に簡単な、有効な、安価なかつ頑強な支持が可能であり得る。電磁誘導充電ユニット及び／又は充電インターフェースの、システムホルダの収容領域への装入は、特に簡単であり得る。
【００３４】
さらに、支持手段の少なくとも１つが、電磁誘導充電ユニット及び／又は充電インターフェースを充電位置に固定すべく設けられている保持手段を有することを提案してもよい。特に支持手段は、電磁誘導充電ユニット及び／又は充電インターフェースを形状結合式に充電位置に固定すべく設けられている段部及び／又は段差を有していてもよい。好ましくは、電磁誘導充電ユニット及び／又は充電インターフェースは、システムホルダの収容領域の支持手段の段部及び／又は段差が充電位置で係合する、対応する切欠きを有している。好ましくは、段部及び／又は段差の、切欠きとの形状結合は、システムの懸吊状態において、電磁誘導充電ユニット及び／又は充電インターフェースを重さ（力）に抗して持ち上げることにより解除可能である。充電インターフェースを有する機器、特に電磁誘導蓄電池及び／又は電磁誘導充電ユニットは、好ましくは、重さ（力）に抗して持ち上げて、押し出すことで取り外し可能である。懸吊状態において重さ（力）は、保持手段の形状結合と充電位置とを保証可能である。保持手段の特に確実な、簡単なかつ安価な構成が可能であり得る。
【００３５】
さらに、収容領域が、電磁誘導充電ユニット及び／又は機器、特に電磁誘導蓄電池を少なくとも２つの方向付けで収容すべく設けられていることを提案してもよい。特に収容領域は、電磁誘導充電ユニット及び／又は機器、特に電磁誘導蓄電池を、挿入方向に関して互いに反対側に位置する２方の側より収容すべく、かつ／又は挿入方向及び揺動軸線に対して垂直な軸線に対して１８０°回転された２つの方向付けにて収容すべく設けられていてもよい。システムの使用は、特に快適であることができる。特に電磁誘導充電ユニット及び／又は機器、特に電磁誘導蓄電池は、使用者にとって特に快適な側から装入可能である。電磁誘導充電ユニット及び／又は機器が過誤により容認されていない方向付けで装入されてしまうことは、回避可能である。
【００３６】
さらに、収容領域が電磁誘導充電ユニットを軸線周りに１８０°を越える範囲にわたって包囲することを提案してもよい。特に電磁誘導充電ユニットは、運転準備状態において電流のリード線を除いて完全に収容領域内に配置されていてもよい。電磁誘導充電ユニットは、システムホルダにより特に良好に保護可能である。電磁誘導充電ユニットは、システムホルダとともに１つのコンパクトなユニットを形成可能である。
【００３７】
さらに、システムが手持ち工具機械用蓄電池、特に電磁誘導蓄電池及び／又は充電可能であって、充電インターフェースを有する手持ち工具機械を有することを提案してもよい。充電インターフェースは、システムホルダ及び／又は電磁誘導充電ユニットに合わせて調整可能である。好ましくは手持ち工具機械用蓄電池、特に電磁誘導蓄電池は、手持ち工具機械用蓄電池、特に電磁誘導蓄電池を手持ち工具機械に接続する、充電インターフェースとは独立した機器インターフェースを有している。特に好ましくは、充電インターフェースと機器インターフェースとは、手持ち工具機械用蓄電池、特に電磁誘導蓄電池の、互いに反対側に配置されている。充電インターフェースは、機器インターフェースが手持ち工具機械に接続されているときに、特に良好にアクセス可能である。特に手持ち工具機械用蓄電池、特に電磁誘導蓄電池は、充電インターフェースでもってシステムに挿入可能であると同時に、機器インターフェースでもって手持ち工具機械のインターフェースに接続可能である。手持ち工具機械用蓄電池、特に電磁誘導蓄電池は、手持ち工具機械とともにシステムに挿入可能である。手持ち工具機械用蓄電池、特に電磁誘導蓄電池と、手持ち工具機械とは、システムとともに懸吊状態で支持及び／又は充電可能である。
【００３８】
加えて、少なくとも１つの固定フレームが、少なくとも２つの支持突起を有し、支持突起が、電磁誘導充電ユニットの、溝として形成された少なくとも１つの固定要素に、挿入方向での挿入プロセス中に支持突起を案内すべく係合することも可能である。電磁誘導充電ユニットは、挿入された状態で固定フレームに少なくとも実質的に支持突起により支持されていてよい。固定フレームは、支持突起の少なくとも１つと、支持突起を少なくとも実質的に挿入方向に対して垂直に弾性変位可能に配置する少なくとも１つのばね要素とを有する少なくとも１つの固定要素を有していてもよい。電磁誘導充電ユニットの溝は、少なくとも挿入された運転状態で力を支持突起に及ぼすことができ、この力は、支持突起を少なくとも部分的に押し込むように弾性変位させる。特に固定フレームは、電磁誘導充電ユニットに少なくとも実質的に、溝から支持突起に及ぼされる力により支持可能である。「少なくとも実質的に」とは、この関連で特に、支持突起に及ぼされる力が、固定フレームと電磁誘導充電ユニットとの間で作用する力の７５％超、好ましくは９０％超となることと解すべきである。
【００３９】
「支持突起」とは、この関連で特に、固定フレームを電磁誘導充電ユニットの溝に力結合及び特に形状結合を介して支持すべく設けられている突出部と解すべきである。「溝」とは、特に、挿入方向で長く延びた凹部であって、特にハウジングの少なくとも一部に形成されており、支持突起を収容し、力結合及び特に形状結合を介して支持突起を支持すべく設けられている凹部と解すべきである。好ましくは、固定フレームは、専ら支持突起を介して電磁誘導充電ユニットの少なくとも１つの溝に支持されていてよい。好ましくは、電磁誘導充電ユニットは、挿入方向に対して垂直に互いに反対側に位置するように配置された少なくとも２つの溝を有している。好ましくは、固定フレームの支持突起のそれぞれ少なくとも２つ、特に好ましくはそれぞれちょうど２つが、電磁誘導充電ユニットの１つの溝に挿入すべく設けられている。固定フレームと電磁誘導充電ユニットとは、支持力を発生させる別の構成要素、例えばストッパ手段及び／又はインターフェースを有していてもよい。特に電磁誘導充電ユニットは、電磁誘導充電ユニットの電気的接触の他に付加的な支持力を生じさせる蓄電池インターフェースを有していてもよい。
【００４０】
「挿入方向」とは、この関連で特に、好ましくは、直線方向であって、この方向に沿って固定フレームの支持突起を電磁誘導充電ユニットの溝に挿入することが可能な方向と解すべきである。「ばね要素」とは、この関連で特に、ばね方向での変位時に戻し力を発生させるべく設けられている要素と解すべきである。挿入プロセス中のばね要素及び／又は支持突起の変位は、少なくとも０．１ｍｍ、好ましくは少なくとも０．５ｍｍであり、特に好ましくは１ｍｍより大きくてもよい。支持突起と溝との間の支持遊びの好ましい補償が実施可能である。固定フレームへの電磁誘導充電ユニットの支持は、プリロードを有していてもよく、遊びなしであってもよい。機械的な公差は、補償可能である。固定フレーム及び電磁誘導充電ユニット同士の位置決めは、挿入プロセスを複数回行っても、特に良好に再現可能であり、互いに特に小さな偏差を有していることができる。溝に係合する別の支持手段、特に支持レールは、省略可能である。
【００４１】
挿入プロセス中に固定フレームを案内する電磁誘導充電ユニットの溝が、支持突起を少なくとも部分的に押し込むように弾性変位させる力を支持突起に対して及ぼすことを提案する。支持突起は、挿入プロセス中に溝に支持されていてよい。固定フレームへの挿入時に電磁誘導充電ユニットが傾いてしまうことは、回避可能である。電磁誘導充電ユニットは、好ましくは挿入プロセス中に固定フレームにおいてセンタリング可能である。挿入中に固定フレームと電磁誘導充電ユニットとが噛んで動かなくなってしまうことは、回避可能である。溝の寸法の狂い、特に異物堆積による寸法の狂いは、補償可能である。好ましくは、電磁誘導充電ユニットは、固定フレームにおいて挿入プロセス中に少なくとも大部分支持突起により案内、特に好ましくは専ら支持突起により案内可能である。好ましくは、固定フレームは、挿入プロセス中、支持突起だけで電磁誘導充電ユニットの溝と接触している。溝に係合する別の案内手段、特に案内レールは、省略可能である。
【００４２】
特に好ましくは、それぞれ１つの支持突起を弾発する複数のばね要素が設けられている。好ましくは、支持突起は、ばね要素によりばね弾性的に支持される。支持突起は、好ましくは互いに独立的に押し込まれるように弾性変位可能である。支持突起における支持力は、特に一様であってよい。個々の支持突起の噛み込み及び／又は個々の支持突起における支持遊びは、回避可能である。
【００４３】
さらに、溝が、挿入された運転状態において支持突起の少なくとも１つが係止される少なくとも１つの係止凹部を有することを提案する。好ましくは、溝は、支持突起の支持位置にそれぞれ１つの係止凹部を有している。「係止凹部」とは、この関連で特に、支持突起がばね要素の戻し力により押し込まれる、溝に設けられた凹部と解すべきである。固定フレームは、電磁誘導充電ユニットに好ましくは挿入方向で固定可能である。使用者は、支持突起を溝の外に押し戻して係止結合を解除するのに必要な力を超える力を、電磁誘導充電ユニットに対して挿入方向とは逆向きに加えることで、固定フレームを電磁誘導充電ユニットから解離させることができる。係止結合を解除するのに必要な力は、とりわけ係止凹部の深さ及び幾何学形状により好適に確定可能である。
【００４４】
さらに、溝が少なくとも実質的に円形又は放物線状の溝輪郭を有することを提案する。「溝輪郭」とは、この関連で特に、挿入方向に対して垂直な断面の幾何学形状と解すべきである。「円形又は放物線状」の溝輪郭とは、この関連で特に、溝の底が円形又は放物線状であることと解すべきである。「少なくとも実質的に」とは、この関連で、溝の溝深さの２０％未満、好ましくは１０％未満、特に好ましくは５％未満の、円形及び／又は放物線状の形状からの偏差と解すべきである。支持突起は、好ましくは少なくともその滑動面に、溝の溝輪郭に合わせて調整された滑動面輪郭、特に円形輪郭及び／又は放物線輪郭を有していてもよい。支持突起は、好ましくはばね要素の戻し力により溝内でセンタリング可能である。支持突起の別の形態では、支持突起は、先細りした輪郭を有していてもよい。この先細りした輪郭は、それぞれの支持突起の滑動面において円み付けられていてもよい。滑動面は、特に小さくてもよい。固定フレームへの電磁誘導充電ユニットの挿入は、特に円滑になされるように形成されていることができる。
【００４５】
本発明の択一的な態様において、溝が挿入平面に対して平行な側面を有することを提案する。「挿入平面」とは、この関連で特に、挿入方向及び支持突起のばね方向により形成される平面と解すべきである。好ましくは、溝の別の側面が、挿入平面に対して特に４５°〜８０°、特に好ましくは５５°〜７０°傾いている。好ましくは、支持突起は、少なくともその滑動面に、挿入平面に対して平行な側面と、挿入平面に対して傾いた側面とを有する、溝に適合された滑動面輪郭を有している。支持突起は、特に精緻に溝内で案内可能である。挿入方向に対して平行な支持側面に対して垂直な、固定フレーム及び電磁誘導充電ユニット同士の相対的な支持位置は、特に正確に維持可能である。溝及び／又は支持突起の平行な側面に向かう押圧力を特に良好に受けることが可能である。
【００４６】
さらに、支持突起が、少なくとも実質的に挿入平面に対して平行に延びる方向に沿って可動に支持されていることを提案する。これにより、固定フレームの特にコンパクト、特にフラットな構造での構成が実現可能であり、必要とされる組み付けスペースは、僅かである。
【００４７】
さらに、溝が挿入方向に沿って少なくとも実質的に一定の溝輪郭を有することを提案する。「一定の」溝輪郭とは、この関連で特に、溝横断面が特に溝長さの少なくとも７０％にわたって、好ましくは溝長さの少なくとも８０％にわたって、特に好ましくは溝長さの９０％超にわたって少なくとも実質的に一定に形成されていることと解すべきである。「少なくとも実質的に」とは、この関連で特に、溝深さの１０％未満、好ましくは５％未満、特に好ましくは１％未満である製造に起因した偏差と解すべきである。特に溝は、係止凹部以外のところで少なくとも実質的に一定の溝輪郭を有していてよい。特に、支持突起を溝に導入すべく設けられているチャンファ及び面取り部は、特に溝長さの１０％未満、好ましくは５％未満であってよい。電磁誘導充電ユニットは、固定フレームに挿入プロセス中特に均等に案内可能である。挿入プロセスは、少なくとも大部分遊びなしに実施可能である。特に電磁誘導充電ユニットを両側から固定フレームに挿入することが可能である。「両側」とは、この関連で特に、溝に対して平行な両挿入方向が容認されていることと解すべきである。
【００４８】
さらに、ばね要素が、支持突起が配置されている棒状ばね要素として形成されていることを提案する。好ましくは、支持突起は、棒状ばね要素と一体に形成されている。棒状ばね要素は、ばね方向に対して横方向に特に大きな力を受けることができる。棒状ばね要素は、ばね方向で押し込まれるように弾性変位し、他の方向で支持突起を支持するのに特に好適であることができる。
【００４９】
特に好ましくは、ばね要素は固定フレームと一体に形成されている。特に支持突起を有するばね要素は、固定フレームと一体に結合されていてよい。好ましくは、固定フレームは、少なくとも部分的にプラスチック構成部材、特に射出成形法で製造されたプラスチック構成部材により形成されていてもよい。固定フレームは、特に安価かつ／又は頑強であることができる。固定フレームの組立手間あるいは組立コストは、特に僅かであることができる。ばね要素及び／又は支持突起が固定フレームから解離してしまうことは、回避可能である。
【００５０】
加えて、少なくとも２つの支持突起が挿入方向で見て相前後して配置されていることを提案する。これにより、好ましくは確実な固定が可能である。
【００５１】
本発明に係る電磁誘導充電装置は、上述の使用及び実施の形態に限定されるものではない。特に本発明に係る電磁誘導充電装置は、ここで説明する機能形式を充足するために、ここに記載した数とは異なる数の個々の要素、構成部材及びユニットを有していてもよい。
【００５２】
その他の利点は、以下の図面の説明から看取可能である。図面には、本発明の複数の実施の形態を示してある。図面、明細書及び請求の範囲には、多数の特徴の組み合わせが含まれている。当業者によりこれらの特徴は、目的に応じて個別に観察され、有意義な別の組み合わせに組み換えられてもよい。
【図面の簡単な説明】
【００５３】
【図１】本発明に係る電磁誘導充電装置の電磁誘導充電ユニットと電磁誘導蓄電池とを備えるシステムの斜視図である。
【図２ａ】電磁誘導充電ユニットと固定ユニットとを備える本発明に係る電磁誘導充電装置の斜視図である。
【図２ｂ】本発明に係る電磁誘導充電装置の固定ユニットの固定要素の斜視図である。
【図３ａ】本発明に係る電磁誘導充電装置の正面図である。
【図３ｂ】本発明に係る電磁誘導充電装置の、外部のユニットに連結された状態における正面図である。
【図４】電磁誘導充電ユニットと択一的な固定ユニットとを備える本発明に係る電磁誘導充電装置の択一的な構成を、電磁誘導蓄電池に連結された状態で示す図である。
【図５ａ】択一的な固定ユニットの固定フレームの正面図である。
【図５ｂ】択一的な固定ユニットの固定フレームの背面図である。
【図６ａ】択一的な固定ユニットの固定フレームの固定要素の概略断面図である。
【図６ｂ】択一的な固定ユニットの固定フレームの固定要素の、固定フレームが組み立てられた状態における概略断面図である。
【図７ａ】択一的な構成における固定フレームの固定要素及び係止凹部を有する電磁誘導充電ユニットの溝の概略図である。
【図７ｂ】択一的な構成における固定フレームの固定要素及び係止凹部を有する電磁誘導充電ユニットの溝の、固定フレームが組み立てられた状態における概略図である。
【図８ａ】溝及び支持突起の択一的な変化態様における輪郭の概略断面図である。
【図８ｂ】溝及び支持突起の別の択一的な変化態様における輪郭の概略断面図である。
【図８ｃ】溝及び支持突起の別の択一的な変化態様における輪郭の概略断面図である。
【図９】システムホルダを有する固定ユニットと、電磁誘導充電ユニットと、電磁誘導蓄電池とを有する択一的に構成されたシステムの概略図である。
【図１０】電磁誘導充電ユニットを有する固定ユニットのシステムホルダの概略斜視図である。
【図１１】電磁誘導充電ユニットと電磁誘導蓄電池とを有する固定ユニットのシステムホルダの概略正面図である。
【図１２】固定ユニットのシステムホルダの概略図である。
【図１３】電磁誘導充電ユニットの概略斜視図である。
【図１４】電磁誘導蓄電池の充電インターフェースの概略斜視図である。
【図１５】電磁誘導蓄電池の概略正面図である。
【図１６】懸吊状態で支持されたシステムを、装入された電磁誘導蓄電池とともに示す概略側面図である。
【図１７】懸吊状態で支持されたシステムを、電磁誘導蓄電池が装入されたハンドフライスとともに示す概略側面図である。
【図１８】懸吊状態で支持されたシステムを、電磁誘導蓄電池が装入されたドライバドリルとともに示す概略側面図である。
【図１９】懸吊状態で支持されたシステムを、電磁誘導蓄電池が装入されたディスクグラインダとともに示す概略側面図である。
【図２０】懸吊状態で支持されたシステムを、電磁誘導蓄電池が装入されたジグソーとともに示す概略側面図である。
【図２１】懸吊状態で支持されたシステムを、電磁誘導蓄電池が装入されたハンマドリルとともに示す概略側面図である。
【図２２】固定ユニットのシステムホルダを用いない、電磁誘導蓄電池を有する電磁誘導充電ユニットの択一的な使用可能性を示す概略図である。
【００５４】
実施の形態の説明
図１には、電磁誘導充電ユニット１２ａと電磁誘導蓄電池１４ａとを備えるシステム９０ｇを示してある。電磁誘導充電ユニット１２ａは、充電状態において電磁誘導蓄電池１４ａを充電すべく設けられている。電磁誘導蓄電池１４ａは、手持ち工具用電磁誘導蓄電池として形成されている。電磁誘導蓄電池１４ａは、電磁誘導充電ユニット１２ａにより電磁誘導式に充電可能に形成されている。電磁誘導蓄電池１４ａは、電磁誘導充電ユニット１２ａに連結可能に形成されている。電磁誘導充電ユニット１２ａは、電磁誘導蓄電池１４ａに連結された状態においてエネルギを電磁誘導蓄電池１４ａに伝送すべく設けられている。電磁誘導充電ユニット１２ａは、手持ち工具用電磁誘導ユニットとして形成されている。電磁誘導充電ユニット１２ａは、電磁誘導充電器として形成されている。電磁誘導充電ユニット１２ａは、充電コイル（図示せず）とハウジング３０ａとを有している。ハウジング３０ａは、充電コイルを包囲している。充電コイルは、充電状態においてエネルギを電磁誘導蓄電池１４ａに電磁誘導式に伝送すべく設けられている。
【００５５】
電磁誘導充電ユニット１２ａのハウジング３０ａは、収容領域３６ａを有している。収容領域３６ａは、連結された状態において電磁誘導蓄電池１４ａを収容すべく設けられている。収容領域３６ａは、電磁誘導充電ユニット１２ａの充電インターフェース９４ａを形成している。電気的なエネルギは、充電インターフェース９４ａを介して電磁誘導蓄電池１４ａに伝送可能である。電磁誘導蓄電池１４ａも、ハウジング４４ａを有している。ハウジング４４ａは、連結された状態において電磁誘導蓄電池１４ａを電磁誘導充電ユニット１２ａのハウジング３０ａの収容領域３６ａに連結する位置決め要素４６ａを有している。電磁誘導蓄電池１４ａの位置決め要素４６ａは、電磁誘導蓄電池１４ａの隣接するハウジング４４ａの外面から立設された台状部（Ｐｏｄｅｓｔ）として形成されている。しかし、電磁誘導充電ユニットの位置決め要素４０を台状部として形成し、電磁誘導蓄電池の位置決め要素４６を凹部として形成することも可能である。電磁誘導蓄電池１４ａの、台状部として形成された位置決め要素４６ａは、電磁誘導蓄電池１４ａの充電インターフェース９６ａを形成している。電磁誘導充電ユニット１２ａのハウジング３０ａの収容領域３６ａは、少なくとも１つの凹部３８ａを有している。凹部３８ａは、少なくとも０．５ｍｍの段差高さを有している。電磁誘導充電ユニット１２ａのハウジング３０ａの収容領域３６ａは、複数の凹部３８ａを有している。凹部３８ａは、電磁誘導蓄電池１４ａを位置決めする位置決め要素４０ａを形成している。電磁誘導蓄電池１４ａの位置決め要素４６ａは、少なくとも０．５ｍｍの段差高さを有している。電磁誘導充電ユニット１２ａの位置決め要素４０ａと電磁誘導蓄電池１４ａの位置決め要素４６ａとは、互いに対応するように形成されている。しかし、電磁誘導充電ユニット１２ａの位置決め要素４０ａを台状部として形成し、電磁誘導蓄電池１４ａの位置決め要素４６ａを凹部として形成することも可能である。
【００５６】
電磁誘導充電ユニット１２ａの位置決め要素４０ａと電磁誘導蓄電池１４ａの位置決め要素４６とは、それぞれ、３ｍｍの段差高さを有している。しかし、この寸法は、当業者が有意義と考える別の寸法であってもよい。電磁誘導充電ユニット１２ａの位置決め要素４０ａは、部分的に湾曲した外側輪郭を有している。電磁誘導充電ユニット１２ａの位置決め要素４０ａの外側輪郭は、円形に形成されている。電磁誘導蓄電池１４ａの位置決め要素４６ａは、部分的に湾曲した外側輪郭を有している。電磁誘導蓄電池１４ａの位置決め要素４６ａの外側輪郭は、円み付けられた角隅を有する正方形に形成されている。電磁誘導充電ユニット１２ａの位置決め要素４０ａの直径は、電磁誘導蓄電池１４ａの位置決め要素４６ａの対角方向長さに少なくとも略相当する。電磁誘導充電ユニット１２ａの位置決め要素４０ａの寸法と、電磁誘導蓄電池１４ａの位置決め要素４６ａの寸法との間には、小さな公差が設定されている。電磁誘導充電ユニット１２ａの位置決め要素４０ａ及び電磁誘導蓄電池１４ａの位置決め要素４６ａの深さ及び公差は、操作者にとって最適な触感のために互いに調整されている必要がある。択一的には、電磁誘導充電ユニット１２ａの位置決め要素４０ａの外側輪郭を、円み付けられた角隅を有する正方形に形成し、電磁誘導蓄電池１４ａの位置決め要素４６ａの外側輪郭を円形に形成することも可能である。さらに、電磁誘導充電ユニット１２ａの位置決め要素４０ａの外側輪郭又は電磁誘導蓄電池１４ａの位置決め要素４６ａの外側輪郭は、当業者が有意義と考える別の幾何学形状、特に円み付けられた角隅を有する別の幾何学形状を有していてもよい。
【００５７】
電磁誘導充電ユニット１２ａのハウジング３０ａの収容領域３６ａは、少なくとも１つの別の凹部４８ａを有している。この別の凹部４８ａは、異物導出要素４２ａを形成している。収容領域３６ａは、異物導出要素４２ａとして形成された複数の別の凹部４８ａを有している。凹部３８ａ，４８ａは、電磁誘導充電ユニット１２ａのハウジングの表面の一部に設けられた構造化部をなしている。異物導出要素４２ａは、条溝状に形成されている。異物導出要素４２ａは、側方に向かって開放されて形成されているので、異物を落下させることができる。加えて異物導出要素４２ａは、上方に向かって開放されて形成されている。異物導出要素４２ａは、長方形の断面を有している。異物導出要素４２ａは、電磁誘導充電ユニット１２ａのハウジング３０ａの表面に対して、位置決め要素４０ａよりも大きな段差高さを有している。電磁誘導充電ユニット１２ａのハウジング３０ａの表面に対して平行に見て、位置決め要素４０ａの外側輪郭は、異物導出要素４２ａを包囲している。電磁誘導蓄電池の充電状態において、電磁誘導充電ユニット１２ａの収容領域３６ａ内に堆積した塵埃及び異物粒子は、異物導出要素４２ａにより排出可能である。異物導出要素４２ａは、それぞれ５ｍｍの段差高さを有している。
【００５８】
さらに電磁誘導充電ユニット１２ａは、表示ユニット７２ａを有している。表示ユニット７２ａは、操作者に情報を提供すべく設けられている。表示ユニット７２ａは、情報を視覚的に提供すべく設けられている。充電状態において操作者は、表示ユニット７２ａから電磁誘導蓄電池１４ａの充電状態についての情報を得ることができる。表示ユニット７２ａは、ディスプレイ７４ａと複数のＬＥＤ７６ａとを有している。しかし、択一的又は付加的に、表示ユニット７２ａの別の構成も可能である。表示ユニット７２ａは、電磁誘導充電ユニット１２ａのハウジング３０ａの前面に配置されている。表示ユニット７２ａは、電磁誘導充電ユニット１２ａのハウジング３０ａの、挿入方向に対して相対的に斜めに形成された前面に配置されている。これにより、電磁誘導充電ユニット１２ａが例えばワークベンチに挿入された状態でも、表示ユニット７２ａの読み取り性が確保できる。
【００５９】
図２ａには、電磁誘導充電ユニット１２ａと固定ユニット１６ａとを備える電磁誘導充電装置１０ａを示してある。固定ユニット１６ａは、連結された状態において電磁誘導充電ユニット１２ａを電磁誘導蓄電池１４ａに連結すべく設けられている。固定ユニット１６ａは、少なくとも１つの固定要素２８．１ａ，２８．２ａを有している。固定要素２８．１ａ，２８．２ａは、連結された状態において電磁誘導充電ユニット１２ａのハウジング３０ａに固定して配置されている。固定ユニット１６ａは、保持舌片３４ａとして形成されている２つの固定要素２８．２ａを有している。固定要素２８．２ａは、紛失防止された状態で電磁誘導充電ユニット１２ａのハウジング３０ａに取り付けられている。固定要素２８．２ａは、解離可能に電磁誘導充電ユニット１２ａのハウジング３０ａに結合されている。しかし、保持舌片３４ａは、電磁誘導充電ユニット１２ａのハウジング３０ａに固く解離不能に結合されて形成されていてもよい。固定要素２８．２ａは、ハウジング３０ａの互いに反対側に位置する側において電磁誘導充電ユニット１２ａに取り付けられている。固定要素２８．２ａは、プラスチックから形成されている。異物導出要素４２ａは、保持舌片３４ａとして形成された固定要素２８．２ａ間を延在している。
【００６０】
各固定要素２８．２ａは、第１の領域５０ａを有している。第１の領域５０ａは、組み立てられた状態において電磁誘導充電ユニット１２ａのハウジング３０ａの、固定要素２８．２ａが配置されている側面に対して平行に延在している。各固定要素２８．２ａは、別の領域５２ａを有している。この別の領域５２ａは、第１の領域５０ａに対して垂直に、かつ電磁誘導充電ユニット１２ａの収容領域３６ａに対して平行に延在している（図２ｂ）。固定ユニット１６ａの固定要素２８．２ａが取り付けられた電磁誘導充電ユニット１２ａに電磁誘導蓄電池１４ａを固定するには、電磁誘導蓄電池１４ａを挿入方向５４ａで電磁誘導充電ユニット１２ａに向かって摺動させる。このとき、電磁誘導蓄電池１４ａの位置決め要素４６ａは、電磁誘導充電ユニット１２ａの位置決め要素４０ａと重なる。挿入方向５４ａは、電磁誘導充電ユニット１２ａの主延在方向に対して平行に延びている。電磁誘導蓄電池１４ａを電磁誘導充電装置１０ａの固定ユニット１６ａに挿入すると、固定ユニット１６ａの固定要素２８．２ａは、固定要素２８．２ａの前述の別の領域５２ａでもって、電磁誘導蓄電池１４ａのハウジング４４ａに一体成形されているそれぞれ１つの保持要素５６ａに上方から係合する。固定要素２８．２ａの別の領域５２ａは、電磁誘導蓄電池１４ａの保持要素５６ａに、挿入方向５４ａに対して横方向で、上方から係合する。
【００６１】
電磁誘導蓄電池１４ａの位置決め要素４６ａは、電磁誘導蓄電池１４ａを摺動させる際、電磁誘導充電ユニット１２ａのハウジング３０ａの表面と接触する。電磁誘導蓄電池１４ａが電磁誘導充電ユニット１２ａに向かって摺動させられ、電磁誘導蓄電池１４ａの位置決め要素４６ａが電磁誘導充電ユニット１２ａの収容領域３６ａ上に配置されると直ちに、電磁誘導蓄電池１４ａの位置決め要素４６ａは、電磁誘導充電ユニット１２ａの位置決め要素４０ａ内に係止される。この係止は、触覚的に操作者により知覚可能であり、電磁誘導蓄電池１４ａが電磁誘導充電ユニット１２ａに対して相対的に、電磁誘導式の充電プロセスにとって最適に位置決めされたことを操作者に知らせる。このとき、固定要素２８．２ａの前述の別の領域５２ａは、電磁誘導蓄電池１４ａを挿入方向５４ａに対して垂直に保持要素５６ａを介して電磁誘導充電ユニット１２ａに向かって押圧する。保持要素５６ａは、突出部により形成されている。位置決め要素４０ａ，４６ａ及び固定要素２８．２ａにより、電磁誘導蓄電池１４ａは、形状結合及び力結合を介して電磁誘導充電ユニット１２ａに連結されている。
【００６２】
保持舌片３４ａとして形成された固定要素２８．２ａは、電磁誘導充電ユニット１２ａのハウジング３０ａに対して相対的にばね弾性的に支持されている。その結果、固定要素２８．２ａは、電磁誘導蓄電池１４ａを電磁誘導充電ユニット１２ａのハウジング３０ａに向かって垂直に押圧する。保持舌片３４ａとして形成された固定要素２８．２ａは、二重のばね（図示せず）を介して電磁誘導充電ユニットのハウジング３０ａに支持されている。保持舌片３４ａとして形成された固定要素２８．２ａは、電磁誘導充電ユニット１２ａのハウジング３０ａに解離可能に取り付けられている。固定要素２８．２ａは、ばねを介して支持されているので、電磁誘導充電ユニット１２ａが落下して衝突しても、好ましくは破損せず、衝突を吸収するか、又は好ましくは破壊されずに電磁誘導充電ユニット１２ａのハウジング３０ａから解離する。
【００６３】
さらに固定ユニット１６ａは、ある状態において電磁誘導充電ユニット１２ａを少なくとも１つの外部のユニット１８ａに連結すべく設けられている。このために固定ユニット１６ａは、別の固定要素２８．１ａを有している。この別の固定要素２８．１ａは、電磁誘導充電ユニット１２ａのハウジング３０ａに設けられている（図３ａ）。この別の固定要素２８．１ａは、溝３２ａとして形成されている。固定ユニット１６ａは、溝３２ａとして形成された２つの別の固定要素２８．１ａを有している。これらの別の、溝３２ａとして形成された固定要素２８．１ａは、電磁誘導充電ユニット１２ａのハウジング３０ａに設けられている。溝３２ａは、ハウジング３０ａの互いに反対側に位置する側面において電磁誘導充電ユニット１２ａに設けられている。溝３２ａは、電磁誘導充電ユニット１２ａの主延在方向に対して平行に延びている。溝３２ａは、電磁誘導充電ユニット１２ａを外部のユニット１８ａ、例えばワークベンチ、工具箱、工具箱ホルダ、工具ホルスタ及び／又は当業者が有意義と考えるその他の外部のユニットの収容領域内に、さねはぎ式の継手を用いて固定すべく設けられている（図３ｂ）。別の固定要素２８．１ａは、あり溝によって形成されていてもよい。加えて、電磁誘導充電ユニット１２ａを外部のユニット１８ａに連結した状態で係止すべく設けられている係止要素が設けられていてもよい。
【００６４】
図４〜２２には、本発明の別の実施の形態を示してある。以下の説明及び図面は、実施の形態間の相違に限る。同じ称呼の構成部材、特に同じ符号をもつ構成部材については、原則、他の実施の形態の図面及び／又は説明、特に図１〜図３ｂも参照されたい。実施の形態を区別するために、図１〜図３ｂに示した実施の形態の符号の後には、アルファベットのａを付し、図４〜図２２に示した実施の形態の符号の後には、アルファベットのｂ〜ｇを付した。
【００６５】
図４には、電磁誘導充電ユニット１２ｂと固定ユニット１６ｂとを備える電磁誘導充電装置１０ｂを示してある。電磁誘導充電ユニット１２ｂは、既に説明した電磁誘導充電ユニット１２ａに相当する。固定ユニット１６ｂは、部分的に電磁誘導充電ユニット１２ｂとは別個に形成されている。固定ユニット１６ｂは、固定フレーム２０ｂを有している。固定フレーム２０ｂは、電磁誘導充電ユニット１２ｂとは別個に形成されており、組み立てられた状態において電磁誘導充電ユニット１２ｂを少なくとも部分的に包囲している。固定フレーム２０ｂは、組み立てられた状態において電磁誘導充電ユニット１２ｂを完全に包囲している。固定フレーム２０ｂは、互いに結合される２つのフレーム要素２２．１ｂ，２２．２ｂを有している。フレーム要素２２．１ｂ，２２．２ｂは、形状結合を介して互いに結合されている。フレーム要素２２．１ｂ，２２．２ｂは、互いに螺止されている。しかし、フレーム要素２２．１ｂ，２２．２ｂ間の、当業者が有意義と考える別の結合も可能である。原則、固定フレーム２０ｂは、単一の堅固な構成部材として形成されていてもよい。固定フレーム２０ｂは、プラスチックから形成されている。固定フレーム２０ｂは、電磁誘導蓄電池１４ｂを充電状態において電磁誘導充電ユニット１２ｂに固定すべく設けられている。電磁誘導蓄電池１４ｂは、既に説明した電磁誘導蓄電池１４ａに相当する。
【００６６】
固定フレーム２０ｂは、フレーム要素２２．１ｂ，２２．２ｂの一方により形成される台架５８ｂを有している。台架５８ｂの上方には、２つの側部Ｕ字部材６０ｂと、片側において側部Ｕ字部材６０ｂに対して横方向に延びる保持Ｕ字部材６２ｂとが立設されている（図５ａ，５ｂ）。その際、保持Ｕ字部材６２ｂは、側部Ｕ字部材６０ｂ間を延在している。固定フレーム２０ｂは、電磁誘導充電ユニット１２を収容する収容領域２４ｂを形成している。電磁誘導充電ユニット１２ｂは、台架５８ｂ上に載置され、固定フレーム２０ｂ内に配置されている。固定フレーム２０ｂは、電磁誘導蓄電池１４ｂを収容する収容領域２６ｂを形成している。保持Ｕ字部材６２ｂに対向して、固定フレーム２０ｂの、挿入開口６４ｂとして形成された側面が配置されている。この挿入開口６４ｂとして形成された側面は、電磁誘導蓄電池１４ｂを形状結合要素６６ｂ内へ、電磁誘導充電ユニット１２ｂの収容領域３６ｂ上に挿入すべく設けられている（図４）。形状結合要素６６ｂは、充電状態において電磁誘導蓄電池１４ｂのハウジング４４ｂの保持要素５６ｂを上方から取り囲むように係合すべく設けられている。その結果、電磁誘導蓄電池１４ｂは、所定の位置で電磁誘導充電ユニット１２ｂの収容領域３６ｂ上に保持されている。電磁誘導充電ユニット１２ｂの保持要素５６ｂは、少なくとも部分的に固定フレーム２０ｂと対応するように形成されている。択一的又は付加的に、固定フレーム２０ｂは、溝３２ｂとして形成された固定要素２８．１ｂに係合すべく設けられている１０個の固定要素７８ｂを有していてもよい。図５ａは、固定フレーム２０ｂを別体で前方から、つまり挿入開口６４ｂに向かい合う視線方向で見た図で示してあり、図５ｂは、固定フレーム２０ｂを別体で後方から見た図で示してある。
【００６７】
固定フレーム２０ｂは、固定フレーム２０ｂを例えばワークベンチ又は工具箱に固定すべく設けられている固定領域６８ｂを有している。固定領域６８ｂは、台架５８ｂに配置されている。固定領域６８ｂは、複数の固定開口７０ｂを有している。固定開口７０ｂを通して固定フレーム２０ｂは、ねじにより締結され、これにより固定され得る。しかし、固定フレーム２０ｂを、当業者が有意義と考える別の方法で固定することも可能である。
【００６８】
固定フレーム２０ｂの固定要素７８ｂは、それぞれ１つのばね要素８０ｂと、それぞれ１つの支持突起８２ｂとを有している。支持突起８２ｂは、それぞれ、ばね要素８０ｂにより挿入方向５４ｂに対して垂直かつ挿入平面に対して平行に弾性変位可能に配置されている。このとき、各支持突起８２ｂは、それぞれのばね要素８０ｂにより、挿入平面に対して少なくとも実質的に垂直に延びる平面に沿って可動に支持されている。挿入プロセス中、及び電磁誘導充電ユニット１２ｂが固定フレーム２０ｂに挿入された運転状態において、溝３２ｂの溝底は、少なくとも所定の力を支持突起８２ｂに及ぼす。これにより支持突起８２ｂは、部分的に押し込まれるように弾性変位する（図６ａ及び図６ｂ）。固定フレーム２０ｂは、支持突起８２ｂを介して電磁誘導充電ユニット１２ｂの溝３２ｂと接触している。前述の少なくとも所定の力は、固定フレーム２０ｂを電磁誘導充電ユニット１２ｂに支持する。溝３２ｂは、挿入方向５４ｂに対して４５°の角度をもった挿入斜面を除いて、挿入方向５４ｂに沿って一定の溝輪郭を有している。それゆえ、固定フレーム２０ｂのばね要素８０ｂの支持突起８２ｂは、図示の挿入方向５４ｂに関して両側、すなわち前方及び後方に、電磁誘導充電ユニット１２ｂの溝３２ｂに挿入可能である。固定フレーム２０ｂと電磁誘導充電ユニット１２ｂとは、挿入された運転状態において支持突起８２ｂと溝３２ｂとの間の静止摩擦により固定可能である。付加的に、挿入された運転状態において固定フレーム２０ｂを保持すべく、当業者が有意義と考える係止手段、固定手段及び／又はストッパ手段（図示せず）が設けられていてもよい。全体として、挿入方向５４ｂで見て、少なくとも２つの固定要素７８ｂが相前後して配置されている。全体として、挿入方向５４ｂで見て、それぞれ５つの固定要素７８ｂが、固定フレーム２０ｂの対向する２つの側に相前後して配置されている。ばね要素８０ｂは、それぞれ１つの支持突起８２ｂが配置されている棒状ばね要素として形成されている。支持突起８２ｂを有するばね要素８０ｂは、固定フレーム２０ｂと一体に形成されている。支持突起８２ｂは、ばね要素８０ｂに沿ってスリットにより固定フレーム２０ｂのハウジングのその他の部分から切り離されており、それぞれのばね要素８０ｂの端部においてハウジングに結合されている。
【００６９】
支持突起８２ｂは、滑動面を有しており、滑動面でもって、挿入プロセス時及び挿入された運転状態において溝３２に当接する。ばね要素８０ｂが無力の状態で、挿入方向５４ｂに対して垂直に互いに反対側に位置する滑動面の最大間隔は、挿入方向５４ｂに対して垂直に互いに反対側に位置するように配置されている両溝３２ｂの溝底の、挿入方向５４ｂに対して垂直な最大間隔より大きい。それゆえ、固定フレーム２０ｂを電磁誘導充電ユニット１２ｂに向かって摺動させると、ばね要素８０ｂは部分的に押し込まれるように弾性変位する。その結果、溝３２ｂは、支持突起８２ｂに対してそれぞれ力を及ぼす。固定フレーム２０ｂは、支持突起８２ｂでもって電磁誘導充電ユニット１２ｂの溝３２ｂに支持されている。溝３２ｂ又は支持突起８２ｂの汚損及び／又は公差は、支持突起８２ｂの内外への弾性変位により補償可能である。その結果、支持突起８２ｂ及び／又は溝３２ｂの噛み込み及び／又は過度の摩耗は、回避可能である。力に基づき固定フレーム２０ｂは、組み立てられた状態において遊びなしに電磁誘導充電ユニット１２ｂに支持されている。固定フレーム２０ｂは、支持突起８２ｂに作用する力に関して力の均衡が生じるように電磁誘導充電ユニット１２ｂに対して位置決めされる。択一的又は付加的に、固定フレーム２０ｂが少なくとも１つの溝を有し、電磁誘導充電ユニット１２ｂが、ばね要素及び支持突起を有する少なくとも１つの固定要素を有していてもよい。
【００７０】
図７ａ及び図７ｂ並びに図８ａ、図８ｂ及び図８ｃには、溝３２ｃ，３２ｄ，３２ｅ，３２ｆと、ばね要素８０ｃ，８０ｄ，８０ｅ，８０ｆ及び支持突起８２ｃ，８２ｄ，８２ｅ，８２ｆを有する固定要素７８ｃ，７８ｄ，７８ｅ，７８ｆとの別の可能な構成を示してある。
【００７１】
図７ａ，７ｂに示した溝３２ｃは、係止凹部８４ｃを有している。挿入された運転状態において、支持突起８２ｃは係止凹部８４ｃ内に係止されている。ばね要素８０ｃが無力の状態において、支持突起８２ｃの、挿入方向５４ｃに対して垂直に互いに反対側に位置する滑動面の最大間隔は、挿入方向５４ｃに対して垂直に互いに反対側に位置するように配置されている２つの溝３２ｃの係止凹部８４ｃの係止底の、挿入方向５４ｃに対して垂直な最大間隔より大きい。これにより溝３２ｃは、係止された状態でも支持突起８２ｃに対して力を及ぼすので、固定フレーム２０ｃは、電磁誘導充電ユニット１２ｃに対して相対的に、係止された状態においても遊びなしに保たれる。係止凹部８４ｃは、挿入方向５４ｃの両側で円み付けられている。その結果、支持突起８２ｃを係止凹部８４ｃから押し出すのに十分な、挿入方向５４ｃとは逆向きの力を、固定フレーム２０ｃに対して相対的に電磁誘導充電ユニット１２ｃに加えることで、係止結合は解除可能である。挿入方向５４ｃに対して４５°の角度をなした、挿入を容易にする挿入斜面と、係止凹部８４ｃとを除いて、溝３２ｃは、挿入方向５４ｃに沿って一定の溝輪郭を有している。
【００７２】
溝３２ｃの溝輪郭及び支持突起８２ｃの滑動面輪郭は、挿入平面に対して垂直な力を受け、電磁誘導充電ユニットを固定フレームに対して相対的に挿入平面に対して垂直に位置決めするのに好適に形成されている。
【００７３】
図８ａ、図８ｂ及び図８ｃには、３つの特に好ましい溝３２ｄ，３２ｅ，３２ｆの溝輪郭及び支持突起８２ｄ，８２ｅ，８２ｆの滑動面輪郭を示してある。溝３２ｄの溝輪郭は、挿入平面に対して平行な側面８６ｄを有している。これとは別の側面８８ｄは、挿入平面に対して６０°の角度をなしている（図８ａ）。別の側面５６ａは、側面８８ｄに対して垂直な成分を有する、ばね力として形成された力を支持し、支持突起８２ｄを溝３２ｄの側面８６ｄに押し付ける圧着力を発生させる。これにより、固定フレーム２０ｄに対して相対的な電磁誘導充電ユニット１２ｄの位置は、挿入平面に関して特に精緻に確定される。この場合、平行な側面８６ｄが挿入平面を形成している。図８ｂは、円形の溝輪郭を有する溝３２ｅと、支持突起８２ｅの、この溝輪郭に適合された滑動面輪郭とを有する変化態様を示し、図８ｃは、放物線状の溝輪郭を有する溝３２ｆと、支持突起８２ｆの、この溝輪郭に適合された滑動面輪郭とを有する変化態様とを示している。これらの溝輪郭は、挿入平面に対して浮動式の支持をなしている。浮動式の支持は、挿入方向５４ｅ，５４ｆに対して横方向で互いに反対側に位置する支持突起８２ｅ，８２ｆの滑動面が、溝３２ｅ，８２ｆ内で最大間隔を有している中央位置をとるようにする。溝３２ｅの溝輪郭が円形である場合、支持突起８２ｅは、やはり円形の滑動面輪郭を有している。その結果、支持摩擦の高い比較的頑強な支持が得られる。この高い支持摩擦は、大きな支持力を受けることができる。溝３２ｆの放物線状の溝輪郭は、先細りした支持突起８２ｆと組み合わされている。この支持突起８２ｆは、溝高さの１０％未満の小さなアールで円み付けられた滑動面輪郭を有している。こうしてごく小さな滑動面でもって溝３２ｅ，３２ｆに当接する支持突起８２ｅ，８２ｆは、特に挿入方向５４ｅ，５４ｆで円滑に動作可能であり、挿入平面に関して特に精緻に方向付け可能である。
【００７４】
図９〜図１１は、電磁誘導式の充電システムとして形成されたシステム９０ｇの概略図を示している。システム９０ｇは、固定ユニット１６ｇを有している。固定ユニット１６ｇは、プラスチック材料から製造されたシステムホルダ９２ｇを有している。さらにシステム９０ｇは、電磁誘導充電ユニット１２ｇを有している。システムホルダ９２ｇは、収容領域２６ｇを画定している。収容領域２６ｇは、電磁誘導充電ユニット１２ｇと、図９及び図１１において電磁誘導蓄電池１４ｇとして形成された充電すべき機器９８ｇの充電インターフェース９６ｇとを収容すべく設けられている。電磁誘導蓄電池１４ｇは、手持ち工具機械用蓄電池として形成されている。
【００７５】
システムホルダ９２ｇは、Ｕ字部材１００ｇとして形成された固定手段を有している。この固定手段は、システム９０ｇを運転準備状態において揺動軸線１０２ｇ周りに可動に懸吊状態で支持すべく設けられている（図１２）。Ｕ字部材１００ｇは、２つの支持箇所１０４ｇにおいてシステムホルダ９２ｇに揺動軸線１０２ｇ周りに可動に支持されており、実質的に、システムホルダ９２ｇの、収容領域２６ｇから背離した側に配置されている。
【００７６】
収容領域２６ｇは、電磁誘導充電ユニット１２ｇと、充電すべき機器９８ｇの充電インターフェース９６ｇとを、約３ｍｍのエアギャップ１０６ｇの分だけ離間させて支持する支持手段１０８ｇ，１２８ｇを有している。電磁誘導充電ユニット１２ｇ及び充電インターフェース９６ｇを収容すべく、これらは、共通の挿入方向５４ｇで収容領域２６ｇに挿入される。電磁誘導蓄電池１４ｇとして形成された機器９８ｇの充電インターフェース９６ｇは、揺動軸線１０２ｇ及び挿入方向５４ｇに対して垂直な軸線に対して１８０°回転された２つの方向付けで収容領域２６ｇに挿入可能である。
【００７７】
図１３は、電磁誘導充電ユニット１２ｇを示している。電磁誘導充電ユニット１２ｇは、電磁誘導式にエネルギを伝送する送信コイル（図示せず）がその下に配置されている面を有している。この面は、凹部３８ｇとして形成されている。リード線１３０ｇは、エネルギの供給に用いられる。電磁誘導充電ユニット１２ｇの側面には、それぞれ１つの溝３２ｇにより形成される支持条溝が配置されている。支持条溝は、電磁誘導充電ユニット１２ｇをシステムホルダ９２ｇ内に支持すべく設けられている。システムホルダ９２ｇは、支持手段１０８ｇを形成する２つの支持レール１１０ｇを収容領域２６ｇ内に有している。電磁誘導充電ユニット１２ｇは、溝３２ｇとして形成された支持条溝でもって収容領域２６ｇの支持レール１１０ｇに挿入方向５４ｇで挿入され、これにより収容領域２６ｇ内で支持される。収容領域２６ｇは、電磁誘導充電ユニット１２ｇを、挿入方向５４ｇに対して平行な軸線周りに１８０°を越える範囲にわたって包囲している。その結果、電磁誘導充電ユニット１２ｇは、システムホルダ９２ｇとともにコンパクトなユニットを形成している。
【００７８】
図１４及び図１５は、電磁誘導蓄電池１４ｇに設けられた充電インターフェース９６ｇを示している。択一的には、充電インターフェース９６ｇは、幾何学的にこれに相応した形で、組み込まれた電磁誘導蓄電池１４ｇを備える手持ち工具機械１１２ｇに配置されていてもよい。充電インターフェース９６ｇは、電磁誘導式にエネルギを伝送する受信コイル（図示せず）がその下に配置されている面を有している。この面は、凹部４８と対応する台状部として形成されている。この面の両側には、収容肩部１１４ｇとして形成される保持要素５６ｇがあり、保持要素５６ｇは、充電インターフェース９６ｇをシステムホルダ９２ｇ内に支持すべく設けられている。収容肩部１１４ｇは、前述の面に対して垂直な軸線に対して対称に、かつ受信コイルの中心に対して対称に配置されている。その結果、充電インターフェース９６ｇは、この軸線に対して１８０°回転された２つの方向付けでシステムホルダ９２ｇに挿入可能である。
【００７９】
システムホルダ９２ｇは、２つの側面１１６ｇを有している。側面１１６ｇは、充電インターフェース９６ｇがシステムホルダ９２ｇに挿入された状態で収容肩部１１４ｇを形状結合式に支持し、支持手段を形成している。側面１１６ｇは、挿入方向５４ｇに面した端部で段部１１８ｇにより画定される。段部１１８ｇは、収容領域２６ｇに挿入された充電インターフェース９６ｇを充電位置に固定し、保持手段を形成する（図１０）。充電インターフェース９６ｇを取り外すには、充電インターフェース９６ｇを電磁誘導充電ユニット１２ｇに向かって段部１１８ｇを越える高さに持ち上げ、次に挿入方向５４ｇとは逆方向に取り出せばよい。段部１１８ｇの、挿入方向５４ｇに対して垂直な高さは、エアギャップ１０６ｇの寸法より小さい。その結果、充電インターフェース９６ｇの収容肩部１１４ｇは、電磁誘導充電ユニット１２ｇと衝突することなく、段部１１８ｇを越える高さに持ち上げ可能である。電磁誘導蓄電池１４ｇは、充電インターフェース９６ｇとは反対側に機器インターフェース１２０ｇを有している。機器インターフェース１２０ｇでもって電磁誘導蓄電池１４ｇは、手持ち工具機械１１２ｇに接続可能である。機器インターフェース１２０ｇは、手持ち工具機械１１２ｇに適合された構成とされており、充電インターフェース９６ｇの構成とは無関係である。システム９０ｇにより、機器インターフェース１２０ｇは互いに異なるが、充電インターフェース９６ｇはシステム９０ｇと互換性のある構成に相当する、手持ち工具機械用蓄電池として形成された様々な電磁誘導蓄電池１４ｇが使用可能である。
【００８０】
図１６は、Ｕ字部材１００ｇに懸吊状態で支持され、電磁誘導蓄電池１４ｇが挿入されたシステム９０ｇを示している。堅固な物体、例えばラックにフック１２２ｇが取り付けられている。フック１２２ｇにＵ字部材１００ｇを懸吊可能である。電磁誘導蓄電池１４ｇを有するシステム９０ｇは、電磁誘導蓄電池１４ｇを有するシステム９０ｇの重心Ｓに作用する重さ（力）に応じて、揺動軸線１０２ｇが略モーメントフリーであるように方向付けられている。
【００８１】
図１７〜図２１は、形態、大きさ、質量及び重心Ｓが互いに異なる可能な様々な手持ち工具機械１１２ｇ’，１１２ｇ”，１１２ｇ”’，１１２ｇ””，１１２ｇ””’を選択的に有するシステム９０ｇを示している。図１７に示した手持ち工具機械１１２ｇ’は、ハンドフライスとして形成されている。図１８に示した手持ち工具機械１１２ｇ”は、ドライバドリルとして形成されている。図１９に示した手持ち工具機械１１２ｇ”’は、ディスクグラインダとして形成されている。図２０に示した手持ち工具機械１１２ｇ””は、ジグソーとして形成されている。図２１に示した手持ち工具機械１１２ｇ””’は、ハンマドリルとして形成されている。手持ち工具機械１１２ｇは、システム９０ｇとともに、それぞれその重心Ｓ及び重さ（力）に応じて、略モーメントフリーのままであるように揺動軸線１０２ｇ周りに方向付けられている。こうしてシステム９０ｇは、様々な手持ち工具機械１１２ｇを収容し、かつ懸吊状態で充電及び保管することが可能である。
【００８２】
図２２は、システムホルダ９２ｇを用いない、電磁誘導蓄電池１４ｇを有する電磁誘導充電ユニット１２ｇの択一的な使用可能性を示している。電磁誘導蓄電池１４ｇは、充電インターフェース９６ｇの面で電磁誘導充電ユニット１２ｇの面に直接載置され、これにより直接充電され得る。位置決めのために電磁誘導充電ユニット１２ｇは、面の周りに、送信コイルと同心に配置された円形の縁部１２４ｇを有している。面と縁部１２４ｇとは、位置決め要素４０ｇを形成している。電磁誘導蓄電池１４ｇの収容肩部１１４ｇは、電磁誘導蓄電池１４ｇの受信コイルに対して同心に配置された円の円セグメント１２６ｇにより画定される。円セグメント１２６ｇの直径は、縁部１２４ｇの直径に合わせて調整されている。こうして円セグメント１２６ｇは、電磁誘導蓄電池１４ｇを電磁誘導充電ユニット１２ｇに載置するとき、電磁誘導充電ユニット１２ｇの送信コイルを電磁誘導蓄電池１４ｇの受信コイルと同心に位置決めするために用いられる。円セグメント１２６ｇと縁部１２４ｇとの間には、ある程度の公差が許容されており、この公差内では、電磁誘導式のエネルギ伝送効率に与える影響は、ごく僅かである。充電コイルと受信コイルとは対称である。その結果、充電コイルと受信コイルとの対称軸線周りの方向付けは、充電プロセスに影響を及ぼすことがない。同様に手持ち工具機械１１２ｇも、その幾何学形状及び重心によりその充電インターフェース９６ｇを電磁誘導充電ユニット１２ｇに確実に下ろすことが許容されている場合は、電磁誘導充電ユニット１２ｇにより直接、システムホルダ９２ｇを使用することなく充電可能である。
【図１】
0006300822.tif 000002
【図２ａ】
0006300822.tif 000003
【図２ｂ】
0006300822.tif 000004
【図３ａ】
0006300822.tif 000005
【図３ｂ】
0006300822.tif 000006
【図４】
0006300822.tif 000007
【図５ａ】
0006300822.tif 000008
【図５ｂ】
0006300822.tif 000009
【図６ａ】
0006300822.tif 000010
【図６ｂ】
0006300822.tif 000011
【図７ａ】
0006300822.tif 000012
【図７ｂ】
0006300822.tif 000013
【図８ａ】
0006300822.tif 000014
【図８ｂ】
0006300822.tif 000015
【図８ｃ】
0006300822.tif 000016
【図９】
0006300822.tif 000017
【図１０】
0006300822.tif 000018
【図１１】
0006300822.tif 000019
【図１２】
0006300822.tif 000020
【図１３】
0006300822.tif 000021
【図１４】
0006300822.tif 000022
【図１５】
0006300822.tif 000023
【図１６】
0006300822.tif 000024
【図１７】
0006300822.tif 000025
【図１８】
0006300822.tif 000026
【図１９】
0006300822.tif 000027
【図２０】
0006300822.tif 000028
【図２１】
0006300822.tif 000029
【図２２】
0006300822.tif 000030